(57)【要約】【課題】複数人で物品を共同購入した場合において、その物品の管理者を容易に把握できるようにする。【解決手段】電子レシート管理装置２０は、取得部２１０及び管理部２２０を備えている。取得部２１０は、会計装置１０から、物品特定情報、支払情報、及び管理者特定情報（例えば管理者の人物特定情報）、を取得する。会計装置１０が物品詳細情報及び購入者特定情報（例えば複数の購入者それぞれの人物特定情報）を送信してきた場合、取得部２１０は、この物品詳細情報及び購入者特定情報も取得する。管理部２２０は、物品特定情報、支払情報、管理者特定情報、及び購入者特定情報を互いに紐づけ、レシート情報として記憶部２３０に記憶させる。管理部２２０は、取得部２１０が物品詳細情報を受信した場合、この物品詳細情報をさらにレシート情報の一部として記憶部２３０に記憶させる。【選択図】図１
2020149107.tif 000002
【特許請求の範囲】
【請求項１】
共同購入された物品の複数の購入者それぞれを特定する複数の人物特定情報、及び前記複数の購入者から選択された管理者を特定する管理者特定情報を取得する取得手段と、
前記物品に対する支払情報、前記複数の人物特定情報、及び前記管理者特定情報を用いて電子レシートを生成する管理手段と、
を備え、
前記管理手段は、前記電子レシートに、前記管理者特定情報によって特定される前記管理者を特定する情報を含ませる電子レシート管理装置。
【請求項２】
請求項１に記載の電子レシート管理装置において、
前記管理手段は、前記管理者に提供する第１の前記電子レシートが含む情報の少なくとも一部を、前記管理者以外の前記購入者に提供する第２の前記電子レシートが含む情報と異ならせる電子レシート管理装置。
【請求項３】
請求項２に記載の電子レシート管理装置において、
前記第１の電子レシートは、前記物品の保証書に関する情報、前記物品のシリアル番号、及び修理履歴の少なくとも一つを含み、
前記第２の電子レシートは、前記少なくとも一つを含まない電子レシート管理装置。
【請求項４】
請求項２又は３に記載の電子レシート管理装置において、
前記第１の電子レシートは、前記管理者を特定する情報として、自分が管理者であることを示す情報を含み、
前記第２の電子レシートは、前記管理者を特定する情報として、前記管理者の名前の少なくとも一部を含む電子レシート管理装置。
【請求項５】
請求項１〜４のいずれか一項に記載の電子レシート管理装置において、
前記管理者は前記複数の購入者に含まれており、
前記管理手段は、前記電子レシートを前記記憶手段に記憶させた後、前記管理者以外の前記購入者の前記人物特定情報を受信すると、当該人物特定情報に対応する購入者を新たな前記管理者となるように前記電子レシートを更新する、電子レシート管理装置。
【請求項６】
請求項５に記載の電子レシート管理装置において、
前記管理手段は、
前記管理者の変更履歴を前記記憶手段に記憶させ、
前記購入者が操作する端末から前記変更履歴の要求を受信した場合、当該変更履歴を前記記憶手段から読み出して前記端末に送信する電子レシート管理装置。
【請求項７】
コンピュータが、
共同購入された物品の複数の購入者それぞれを特定する複数の人物特定情報、及び前記複数の購入者から選択された管理者を特定する管理者特定情報を取得し、
前記物品に対する支払情報、前記複数の人物特定情報、及び前記管理者特定情報を用いて電子レシートを生成し、
前記コンピュータは、前記電子レシートに、前記管理者特定情報によって特定される前記管理者を特定する情報を含ませる
電子レシート管理方法。
【請求項８】
コンピュータに、
共同購入された物品の複数の購入者それぞれを特定する複数の人物特定情報、及び前記複数の購入者から選択された管理者を特定する管理者特定情報を取得する機能と、
前記物品に対する支払情報、前記複数の人物特定情報、及び前記管理者特定情報を用いて電子レシートを生成する機能と
を持たせるとともに、
前記コンピュータに、前記管理者特定情報によって特定される前記管理者を特定する情報を前記電子レシートに含ませる機能を持たせるためのプログラム。
【発明の詳細な説明】
【技術分野】
【０００１】
本発明は、電子レシート管理装置、電子レシート管理方法、及びプログラムに関する。
【背景技術】
【０００２】
近年はレシートを電子化する技術、いわゆる電子レシートに関する技術の開発がすすめられている。例えば特許文献１には、飲食店で複数の人で食事を行った場合等において、取引の対象となる複数のアイテムのそれぞれに対して支払者を紐づけ、支払者別にアイテムのリストを出力することが記載されている。
【先行技術文献】
【特許文献】
【０００３】
【特許文献１】特開２０１８−１４７２５０号公報
【発明の概要】
【発明が解決しようとする課題】
【０００４】
物品を複数の人で共同購入し、これら複数の人で購入した物品を共同で使用することがある。このような場合において、その物品を管理している人を容易に把握できるようにすることが好ましい。
【０００５】
本発明は、上記の課題に鑑みてなされたものである。本発明の目的の一つは、複数人で物品を共同購入した場合において、その物品の管理者を容易に把握できるようにすることである。
【課題を解決するための手段】
【０００６】
本発明によれば、共同購入された物品の複数の購入者それぞれを特定する複数の人物特定情報、及び前記複数の購入者から選択された管理者を特定する管理者特定情報を取得する取得手段と、
前記物品に対する支払情報、前記複数の人物特定情報、及び前記管理者特定情報を用いて電子レシートを生成する管理手段と、
を備え、
前記管理手段は、前記電子レシートに、前記管理者特定情報によって特定される前記管理者を特定する情報を含ませる電子レシート管理装置が提供される。
【０００７】
本発明によれば、コンピュータが、
共同購入された物品の複数の購入者それぞれを特定する複数の人物特定情報、及び前記複数の購入者から選択された管理者を特定する管理者特定情報を取得し、
前記物品に対する支払情報、前記複数の人物特定情報、及び前記管理者特定情報を用いて電子レシートを生成し、
前記コンピュータは、前記電子レシートに、前記管理者特定情報によって特定される前記管理者を特定する情報を含ませる
電子レシート管理方法が提供される。
【０００８】
本発明によれば、コンピュータに、
共同購入された物品の複数の購入者それぞれを特定する複数の人物特定情報、及び前記複数の購入者から選択された管理者を特定する管理者特定情報を取得する機能と、
前記物品に対する支払情報、前記複数の人物特定情報、及び前記管理者特定情報を用いて電子レシートを生成する機能と
を持たせるとともに、
前記コンピュータに、前記管理者特定情報によって特定される前記管理者を特定する情報を前記電子レシートに含ませる機能を持たせるためのプログラムが提供される。
【発明の効果】
【０００９】
本発明によれば、複数人で物品を共同購入した場合において、その物品の管理者を容易に把握できる。
【図面の簡単な説明】
【００１０】
【図１】第１実施形態に係る電子レシート管理装置の機能構成を使用環境とともに示す図である。
【図２】記憶部のデータ構成の一例を示す図である。
【図３】電子レシート管理装置のハードウエア構成を例示するブロック図である。
【図４】会計装置の動作例を説明するためのフローチャートである。
【図５】電子レシート管理装置が購入者に電子レシートを提供するときの処理の一例を示すフローチャートである。
【図６】第１の電子レシートの一例を示す図である。
【図７】第２の電子レシートの一例を示す図である。
【図８】第２実施形態に係る記憶部のデータ構成の一例を示している
【図９】管理者の変更処理の一例を示すフローチャートである。
【発明を実施するための形態】
【００１１】
以下、本発明の実施の形態について、図面を用いて説明する。尚、すべての図面において、同様な構成要素には同様の符号を付し、適宜説明を省略する。
【００１２】
［第１実施形態］
図１は、第１実施形態に係る電子レシート管理装置２０の機能構成を、電子レシート管理装置２０の使用環境とともに示す図である。電子レシート管理装置２０は電子レシートを管理する装置であり、会計装置１０及び顧客端末３０とともに使用される。会計装置１０はたとえばＰＯＳであり、電子レシートの生成に必要な情報を電子レシート管理装置２０に送信する。顧客は、電子レシート管理装置２０が管理している電子レシートを、顧客端末３０を用いて確認する。
【００１３】
商品は複数の購入者によって共同購入されることがある。電子レシート管理装置２０を用いると、電子レシートに物品の管理者を特定する情報（以下、管理者特定情報と記載）を含ませることができる。この管理者特定情報は、例えば会計装置１０を介して電子レシート管理装置２０に送信される。以下、本実施形態について詳細に説明する。物品の管理者は、例えばその物品の物理的に所持している人である。
【００１４】
＜会計装置１０の機能構成例＞
会計装置１０は、商品登録部１１０、精算部１２０、取得部１３０、及び送信部１４０を備えている。
【００１５】
商品登録部１１０は購入される商品を登録する。精算部１２０は、商品登録部１１０によって登録された物品（商品）の精算処理を行う。例えば会計装置１０がＰＯＳ（Point of sale system）である場合、商品登録部１１０は商品登録装置であり、精算部１２０は精算装置である。商品登録部１１０及び精算部１２０によって、購入された物品を特定する情報（以下、物品特定情報と記載）が特定され、また、この物品に対する支払情報が生成される。物品特定情報は、例えばその物品の商品名及び一般名称の少なくとも一方を含む。支払情報は、少なくとも、その物品の価格、預り金額、及びお釣りの金額を含む。
【００１６】
取得部１３０は、上記した管理者特定情報を取得する。取得部１３０は、管理者特定情報として、管理者の人物特定情報を取得する。人物特定情報は、顧客ＩＤ（例えば会員番号）であってもよいし、人物の氏名であってもよい。顧客ＩＤは、人物の氏名に紐付いて外部の記憶装置に記憶されている。管理者特定情報は、例えば管理者となる顧客が所持している記憶媒体を用いて入力される。この記憶媒体は、例えばＩＣカード、携帯端末、又はウェアラブル端末であり、取得部１３０はリーダを有している。リーダは例えばタッチ式である。この場合、記憶媒体は近距離無線通信機能を有しており、取得部１３０のリーダに近づくとこのリーダと通信を行い、人物特定情報をこのリーダに送信する。ただし、取得部１３０が記憶媒体から情報を取得する方法はこれに限定されない。
【００１７】
また、取得部１３０は、共同購入を行った複数の購入者それぞれの人物特定情報を、購入者特定情報として取得することもできる。この購入者特定情報の取得方法は、上記した管理者特定情報の取得方法と同様であり、例えば購入者の人物特定情報を購入者特定情報として取得する。
【００１８】
送信部１４０は、上記した物品特定情報、支払情報、及び管理者特定情報を、電子レシートに含めるべき情報として電子レシート管理装置２０に送信する。取得部１３０が購入者特定情報を取得していた場合、送信部１４０は、上記した情報に加え、購入者特定情報も電子レシートに含めるべき情報として電子レシート管理装置２０に送信する。
【００１９】
また送信部１４０は、物品特定情報によって特定される物品の詳細情報（以下、物品詳細情報と記載）を、電子レシートに含めるべき情報として電子レシート管理装置２０に送信してもよい。物品詳細情報は、例えば保証書の起算日、及び前記物品のシリアル番号の少なくとも一方を含む。取得部１３０は、例えば物品に関する情報を記憶したデータベースから物品詳細情報の少なくとも一部を取得する。また取得部１３０は、顧客又は店員からの入力によって物品詳細情報の少なくとも一部を取得してもよい。
【００２０】
ただし、取得部１３０が物品詳細情報を取得する方法はこれに限定されない。例えば物品詳細情報に保証書に関する情報が含まれている場合、物品詳細情報はその物品の購入年月日を含んでいる。この購入年月日は保証書の起算日であり、例えば会計装置１０の時計機能から取得される。また、電子レシート管理装置２０の取得部２１０（後述）が物品詳細情報を取得してもよい。
【００２１】
＜電子レシート管理装置２０の機能構成例＞
電子レシート管理装置２０は、取得部２１０及び管理部２２０を備えている。
【００２２】
取得部２１０は、会計装置１０から、物品特定情報、支払情報、及び管理者特定情報（例えば管理者の人物特定情報）、を取得する。会計装置１０が物品詳細情報及び購入者特定情報（例えば複数の購入者それぞれの人物特定情報）を送信してきた場合、取得部２１０は、この物品詳細情報及び購入者特定情報も取得する。
【００２３】
管理部２２０は、物品特定情報、支払情報、管理者特定情報、及び購入者特定情報を互いに紐づけ、レシート情報として記憶部２３０に記憶させる。管理部２２０は、取得部２１０が物品詳細情報を受信した場合、この物品詳細情報をさらにレシート情報の一部として記憶部２３０に記憶させる。
【００２４】
管理部２２０は、物品時詳細情報の少なくとも一部として、その物品の修理履歴を記憶部２３０に記憶させてもよい。この場合、修理履歴は、例えば顧客が顧客端末３０を介して記憶部２３０に送信する。
【００２５】
また管理部２２０は、記憶部２３０に記憶されている情報を用いて電子レシートを生成する。この電子レシートには、少なくとも支払情報及び管理者を特定する情報が含まれる。この電子レシートに含まれる「管理者を特定する情報」は、例えば管理者の氏名である。記憶部２３０が記憶している管理者特定情報が管理者の氏名である場合、人物特定情報が「管理者を特定する情報」として電子レシートに含まれる。また管理者特定情報が管理者の顧客ＩＤである場合、この顧客ＩＤに対応する氏名が外部の記憶装置から読み出され、この氏名が「管理者を特定する情報」として電子レシートに含まれる。
【００２６】
また、電子レシートに共同購入者の氏名を含めることがある。この場合、管理部２２０は、管理者特定情報から管理者の氏名を特定する方法と同様の方法により、購入者特定情報から購入者の氏名を特定する。
【００２７】
なお、管理部２２０は、管理者に提供する電子レシート（以下、第１の電子レシートと記載）が含む情報の少なくとも一部を、管理者以外の購入者に提供する電子レシート（以下、第２の電子レシートと記載）が含む情報と異ならせる。これら電子レシートの具体例については後述する。
【００２８】
図１に示す例において、記憶部２３０は電子レシート管理装置２０の中に含まれている。ただし記憶部２３０は電子レシート管理装置２０の外部のストレージであってもよい。
【００２９】
図２は、記憶部２３０のデータ構成の一例を示す図である。本図に示す例において、記憶部２３０は、レシート情報として、物品特定情報、物品詳細情報、支払情報、複数の購入者それぞれの購入者特定情報、及び管理者特定情報を含んでいる。上記したように、物品特定情報は、その物品の商品名及び一般名称の少なくとも一方を含む。物品詳細情報は、例えば保証書情報、前記物品のシリアル番号、及び修理履歴の少なくとも一つを含む。保証書情報は、保証書の有効期限を特定する情報、及び保証書が適用される条件の少なくとも一方を含む。支払情報は、少なくとも、その物品の価格、預り金額、及びお釣りの金額を含む。購入者特定情報は、共同購入を行った顧客の氏名や顧客ＩＤである。管理者特定情報は、管理者の氏名や顧客ＩＤである。
【００３０】
＜ハードウエア構成例＞
図３は、図１に示す電子レシート管理装置２０のハードウエア構成を例示するブロック図である。電子レシート管理装置２０は、バス１０１０、プロセッサ１０２０、メモリ１０３０、ストレージデバイス１０４０、入出力インタフェース１０５０、及びネットワークインタフェース１０６０を有する。
【００３１】
バス１０１０は、プロセッサ１０２０、メモリ１０３０、ストレージデバイス１０４０、入出力インタフェース１０５０、及びネットワークインタフェース１０６０が、相互にデータを送受信するためのデータ伝送路である。ただし、プロセッサ１０２０などを互いに接続する方法は、バス接続に限定されない。
【００３２】
プロセッサ１０２０は、ＣＰＵ（Central Processing Unit） やＧＰＵ（Graphics Processing Unit）などで実現されるプロセッサである。
【００３３】
メモリ１０３０は、ＲＡＭ（Random Access Memory）などで実現される主記憶装置である。
【００３４】
ストレージデバイス１０４０は、ＨＤＤ（Hard Disk Drive）、ＳＳＤ（Solid State Drive）、メモリカード、又はＲＯＭ（Read Only Memory）などで実現される補助記憶装置である。ストレージデバイス１０４０は電子レシート管理装置２０の各機能（例えば取得部２１０及び管理部２２０）を実現するプログラムモジュールを記憶している。プロセッサ１０２０がこれら各プログラムモジュールをメモリ１０３０上に読み込んで実行することで、そのプログラムモジュールに対応する各機能が実現される。
【００３５】
入出力インタフェース１０５０は、電子レシート管理装置２０と各種入出力機器とを接続するためのインタフェースである。
【００３６】
ネットワークインタフェース１０６０は、電子レシート管理装置２０をネットワークに接続するためのインタフェースである。このネットワークは、例えばＬＡＮ（Local Area Network）やＷＡＮ（Wide Area Network）である。ネットワークインタフェース１０６０がネットワークに接続する方法は、無線接続であってもよいし、有線接続であってもよい。そして、電子レシート管理装置２０は、ネットワークインタフェース１０６０を介して会計装置１０及び顧客端末３０に接続する。
【００３７】
なお、会計装置１０のハードウエア構成も電子レシート管理装置２０のハードウエア構成と同様である。そしてストレージデバイス１０４０は、商品登録部１１０、精算部１２０、取得部１３０、及び送信部１４０を実現するプログラムモジュールを記憶している。
【００３８】
＜動作例＞
図４は、会計装置１０の動作例を説明するためのフローチャートである。会計装置１０の商品登録部１１０は、例えば購入される物品に付与されているコード情報を読み取り、このコード情報を購入対象の物品として登録する（ステップＳ１０２）。次いで商品登録部１１０は、コード情報に対応する物品特定情報及び価格情報を商品データベースから読み出す。そして商品登録部１１０は、読み出した物品特定情報及び価格情報を精算部１２０に出力する。
【００３９】
次いで取得部１３０は、購入者が複数であるか否かを顧客に入力させる。この入力は、例えば会計装置１０に設けられたタッチパネルを用いて行われる。購入者が一人であった場合（ステップＳ１０４：Ｎｏ）、取得部１３０は精算部１２０に精算処理を行わせる（ステップＳ１１０）。そして送信部１４０は、精算部１２０が生成した支払情報を、物品特定情報とともに電子レシート管理装置２０に送信する（ステップＳ１１２）。この際、送信部１４０は、物品のコード情報に対応する物品詳細情報を生成または取得し、この物品詳細情報も電子レシート管理装置２０に送信してもよい。
【００４０】
一方、購入者が複数であった場合（ステップＳ１０４：Ｙｅｓ）、取得部１３０は、購入者に購入者の人物特定情報（購入者特定情報）の入力を促す処理を行う。この処理は、例えばディスプレイへの表示、人物特定情報を記憶している記憶媒体を読み取るリーダ又はその周囲を光らせること、などである。そして複数の購入者のそれぞれは、取得部１３０に購入者特定情報を入力する（ステップＳ１０６）。そして全ての購入者の購入者特定情報の入力が行われた後、取得部１３０は、管理者となる購入者に、その人の人物特定情報（管理者特定情報）の入力を促す処理を行う。この処理も、例えばディスプレイへの表示、人物特定情報を記憶している記憶媒体を読み取るリーダ又はその周囲を光らせること、などである。そして管理者となる購入者は、取得部１３０に管理者特定情報を入力する（ステップＳ１０８）。
【００４１】
なお、ステップＳ１０８は省略されてもよい。この場合、ステップＳ１０６における取得部１３０への入力において、管理者となる購入者の購入者特定情報とともに、その購入者が管理者であることを示す情報も入力される。
【００４２】
次いで、取得部１３０は精算部１２０に精算処理を行わせる（ステップＳ１１０）。そして送信部１４０は、物品のコード情報に対応する物品詳細情報を生成または取得し、この物品詳細情報を、物品特定情報、精算部１２０が生成した支払情報、並びに取得部１３０が取得した管理者特定情報及び複数の購入者特定情報とともに、電子レシート管理装置２０に送信する（ステップＳ１１２）。
【００４３】
そして電子レシート管理装置２０の取得部２１０は、会計装置１０から送られてきた情報を取得する。電子レシート管理装置２０の管理部２２０は、取得部２１０が取得した情報を互いに紐づけてレシート情報として記憶部２３０に記憶させる。
【００４４】
図５は、電子レシート管理装置２０が購入者に電子レシートを提供するときの処理の一例を示すフローチャートである。本図に示す例において、電子レシートの対象となっている物品は、複数の購入者によって共同購入されている。購入者は、電子レシートを取得したい場合、対象となっている物品の物品特定情報及び購入者特定情報を、例えば顧客端末３０を介して電子レシート管理装置２０に送信する。電子レシート管理装置２０の取得部２１０は、これらの情報を取得する（ステップＳ２０２）。
【００４５】
電子レシート管理装置２０の管理部２２０は、取得部２１０が物品特定情報及び購入者特定情報を取得すると、記憶部２３０が記憶している情報のうち、この物品特定情報及び購入者特定情報の組み合わせに対応するレシート情報を特定する（ステップＳ２０４）。そして管理部２２０は、取得部２１０が取得した購入者特定情報が、管理者特定情報に一致するか否かを確認する。購入者特定情報が管理者特定情報に一致していた場合（ステップＳ２０６：Ｙｅｓ）、第１の電子レシートを生成する（ステップＳ２０８）。一方、購入者特定情報が管理者特定情報と異なっていた場合（ステップＳ２０６：Ｎｏ）、第１の電子レシートとは異なる電子レシート（第２の電子レシート）を生成する（ステップＳ２１０）。そして管理部２２０は、生成した電子レシートを顧客端末３０に送信する。
【００４６】
なお、ステップＳ２０２において、購入者は、さらに物品のシリアル番号を顧客端末３０に入力して電子レシート管理装置２０に送信してもよい。この場合、ステップＳ２０４において、電子レシート管理装置２０の管理部２２０は、このシリアル番号及び物品特定情報の組み合わせに対応する電子レシートを特定してもよい。このようにすると、ある購入者が同じ物品を複数購入していた場合においても、電子レシート管理装置２０は、対象としている物品を特定し、その物品に関する電子レシートを購入者に提示することができる。
【００４７】
また、ステップＳ２０６及びＳ２１０が省略され、全ての購入者に共通の電子レシート（第１の電子レシート）が送信されてもよい。
【００４８】
図６は、第１の電子レシートすなわち管理者に提供される電子レシートの一例を示している。本図に示す例において、電子レシートは、物品特定情報としての物品名、支払情報、共同購入者全員の氏名とともに、管理者を特定する情報として、その人が管理者であることを示す情報を含んでいる。また、本図に示す電子レシートは、物品詳細情報として、シリアル番号、保証書情報、及び修理履歴を含んでいる。
【００４９】
図７は、第２の電子レシートの一例すなわち管理者以外の購入者に提供される電子レシートの一例を示している。本図に示す例において、電子レシートは、物品特定情報としての物品名、支払情報、共同購入者全員の氏名とともに、管理者を特定する情報として、管理者の氏名を含んでいる。ただし、本図に示す電子レシートは、物品詳細情報、例えばシリアル番号、保証書情報、及び修理履歴を含んでいない。
【００５０】
以上、本実施形態によれば、物品が複数の購入者によって共同購入された場合、電子レシート管理装置２０は、記憶部２３０に、その物品の管理者の管理者特定情報を記憶させている。そして電子レシート管理装置２０の管理部２２０は、顧客の顧客端末３０に、行動購入された物品に関する電子レシートを送信する際、この電子レシートに、管理者を特定する情報を含ませる。このため、複数人で物品を共同購入した場合において、その物品の管理者を容易に把握できるようになる。
【００５１】
また、管理者、すなわちその物品を物理的に所持している人の電子レシートには、保証書情報や修理履歴が含まれている。このため、管理者はその物品の状態を容易に把握することができる。
【００５２】
［第２実施形態］
本実施形態に係る電子レシート管理装置２０は、管理者の変更が可能になっており、管理部２２０が、記憶部２３０に、管理者の変更履歴を記憶している点を除いて第１実施形態に係る電子レシート管理装置２０と同様である。この変更は、例えば物品を所持している人が変更になった場合に行われる。
【００５３】
図８は、本実施形態に係る記憶部２３０のデータ構成の一例を示している。上記したように、記憶部２３０は、管理者の変更履歴を記憶している。この変更履歴は、例えば、管理者を特定する情報と、その管理者が物品の管理を開始した日時とを含んでいる。
【００５４】
図９は、管理者の変更処理の一例を示すフローチャートである。まず、例えば管理者は、顧客端末３０を操作し、電子レシート管理装置２０の管理部２２０に管理者の変更要求を送信する。管理部２２０は、管理者の変更要求を取得する（ステップＳ２２２）と、管理者の変更入力フォームを顧客端末３０に送信する（ステップＳ２２４）。顧客端末３０は、取得した変更入力フォームを表示し、管理者に、所定の入力を行わせる。この入力は、新たな管理者の購入者特定情報（人物特定情報）を含んでいる。そして顧客端末３０は、新たな管理者の購入者特定情報を含む入力データを管理部２２０に送信する（ステップＳ２２６）。すると管理部２２０は、記憶部２３０が記憶している管理者を特定する情報を、ステップＳ２２６で取得した購入者特定情報に対応する情報に更新する。この際、管理部２２０は、記憶部２３０に、新たな購入者特定情報とともにその更新日も記憶させる（ステップＳ２２８）。
【００５５】
そして本実施形態において、管理部２２０は、例えば第１の電子レシート及び第２の電子レシートの少なくとも一方に、管理者の変更履歴を含める。
【００５６】
また管理部２２０は、顧客端末３０から、物品特定情報及び購入者特定情報（又は物品特定情報及びシリアル番号）とともに、管理者の変更履歴の要求を受信した場合、物品特定情報及び購入者特定情報の組み合わせ（又は物品特定情報及びシリアル番号の組み合わせ）に対応する変更履歴を記憶部２３０から読み出して顧客端末３０に送信する。
【００５７】
以上、本実施形態によれば、物品を所持している人が変更になった場合、それに合わせて記憶部２３０が記憶している管理者情報を更新することができる。また、共同購入を行った購入者は、管理者の変更履歴を容易に確認することができる。
【００５８】
［第３実施形態］
本実施形態に係る電子レシート管理装置２０は、購入者の登録タイミングが、電子レシートの発行後である点を除いて、第１実施形態に係る電子レシート管理装置２０又は第２実施形態に係る電子レシート管理装置２０と同様の構成である。
【００５９】
具体的には、本実施形態に係る会計装置１０は、図４のステップＳ１０６に示した処理、すなわち購入者特定情報の取得を行わない点を除いて、第１実施形態に係る会計装置１０と同様である。
【００６０】
また、電子レシート管理装置２０は、会計装置１０から物品詳細情報、物品特定情報、支払情報、及び管理者特定情報を取得した後、第１の電子レシートを管理者の顧客端末３０に送信する際に、購入者特定情報の入力を行わせるための画面データを顧客端末３０に送信する。
【００６１】
顧客端末３０は、電子レシート管理装置２０から受信した画面データを用いて、購入者特定情報の入力を行わせるための画面を表示する。この表示は、例えば顧客端末３０において当該第１の電子レシートが選択された場合に行われる。そして顧客端末３０は、入力された購入者特定情報を電子レシート管理装置２０に送信する。電子レシート管理装置２０の管理部２２０は、取得した購入者特定情報を、送信した第１の電子レシートに含まれる物品特定情報に紐づけて記憶部２３０に記憶させる。
【００６２】
本実施形態によっても、第１実施形態及び第２実施形態と同様の効果が得られる。また、購入者特定情報の入力を顧客端末３０を用いて会計処理後に行うことができるため、会計処理に必要な時間を短くすることができる。
【００６３】
以上、図面を参照して本発明の実施形態について述べたが、これらは本発明の例示であり、上記以外の様々な構成を採用することもできる。
【００６４】
また、上述の説明で用いた複数のフローチャートでは、複数の工程（処理）が順番に記載されているが、各実施形態で実行される工程の実行順序は、その記載の順番に制限されない。各実施形態では、図示される工程の順番を内容的に支障のない範囲で変更することができる。また、上述の各実施形態は、内容が相反しない範囲で組み合わせることができる。
【００６５】
上記の実施形態の一部または全部は、以下の付記のようにも記載されうるが、以下に限られない。
１．共同購入された物品の複数の購入者それぞれを特定する複数の人物特定情報、及び前記複数の購入者から選択された管理者を特定する管理者特定情報を取得する取得手段と、
前記物品に対する支払情報、前記複数の人物特定情報、及び前記管理者特定情報を用いて電子レシートを生成する管理手段と、
を備え、
前記管理手段は、前記電子レシートに、前記管理者特定情報によって特定される前記管理者を特定する情報を含ませる電子レシート管理装置。
２．上記１に記載の電子レシート管理装置において、
前記管理手段は、前記管理者に提供する第１の前記電子レシートが含む情報の少なくとも一部を、前記管理者以外の前記購入者に提供する第２の前記電子レシートが含む情報と異ならせる電子レシート管理装置。
３．上記２に記載の電子レシート管理装置において、
前記第１の電子レシートは、前記物品の保証書に関する情報、前記物品のシリアル番号、及び修理履歴の少なくとも一つを含み、
前記第２の電子レシートは、前記少なくとも一つを含まない電子レシート管理装置。
４．上記２又は３に記載の電子レシート管理装置において、
前記第１の電子レシートは、前記管理者を特定する情報として、自分が管理者であることを示す情報を含み、
前記第２の電子レシートは、前記管理者を特定する情報として、前記管理者の名前の少なくとも一部を含む電子レシート管理装置。
５．上記１〜４のいずれか一つに記載の電子レシート管理装置において、
前記管理者は前記複数の購入者に含まれており、
前記管理手段は、前記電子レシートを前記記憶手段に記憶させた後、前記管理者以外の前記購入者の前記人物特定情報を受信すると、当該人物特定情報に対応する購入者を新たな前記管理者となるように前記電子レシートを更新する、電子レシート管理装置。
６．上記５に記載の電子レシート管理装置において、
前記管理手段は、
前記管理者の変更履歴を前記記憶手段に記憶させ、
前記購入者が操作する端末から前記変更履歴の要求を受信した場合、当該変更履歴を前記記憶手段から読み出して前記端末に送信する電子レシート管理装置。
７．コンピュータが、
共同購入された物品の複数の購入者それぞれを特定する複数の人物特定情報、及び前記複数の購入者から選択された管理者を特定する管理者特定情報を取得し、
前記物品に対する支払情報、前記複数の人物特定情報、及び前記管理者特定情報を用いて電子レシートを生成し、
前記コンピュータは、前記電子レシートに、前記管理者特定情報によって特定される前記管理者を特定する情報を含ませる
電子レシート管理方法。
８．上記７に記載の電子レシート管理方法において、
前記管理手段は、前記管理者に提供する第１の前記電子レシートが含む情報の少なくとも一部を、前記管理者以外の前記購入者に提供する第２の前記電子レシートが含む情報と異ならせる電子レシート管理方法。
９．上記８に記載の電子レシート管理方法において、
前記第１の電子レシートは、前記物品の保証書に関する情報、前記物品のシリアル番号、及び修理履歴の少なくとも一つを含み、
前記第２の電子レシートは、前記少なくとも一つを含まない電子レシート管理方法。
１０．上記８又は９に記載の電子レシート管理方法において、
前記第１の電子レシートは、前記管理者を特定する情報として、自分が管理者であることを示す情報を含み、
前記第２の電子レシートは、前記管理者を特定する情報として、前記管理者の名前の少なくとも一部を含む電子レシート管理方法。
１１．上記７〜１０のいずれか一つに記載の電子レシート管理方法において、
前記管理者は前記複数の購入者に含まれており、
前記管理手段は、前記電子レシートを前記記憶手段に記憶させた後、前記管理者以外の前記購入者の前記人物特定情報を受信すると、当該人物特定情報に対応する購入者を新たな前記管理者となるように前記電子レシートを更新する、電子レシート管理方法。
１２．上記１１に記載の電子レシート管理方法において、
前記管理手段は、
前記管理者の変更履歴を前記記憶手段に記憶させ、
前記購入者が操作する端末から前記変更履歴の要求を受信した場合、当該変更履歴を前記記憶手段から読み出して前記端末に送信する電子レシート管理方法。
１３．コンピュータに、
共同購入された物品の複数の購入者それぞれを特定する複数の人物特定情報、及び前記複数の購入者から選択された管理者を特定する管理者特定情報を取得する機能と、
前記物品に対する支払情報、前記複数の人物特定情報、及び前記管理者特定情報を用いて電子レシートを生成する機能と
を持たせるとともに、
前記コンピュータに、前記管理者特定情報によって特定される前記管理者を特定する情報を前記電子レシートに含ませる機能を持たせるためのプログラム。
１４．上記１３に記載のプログラムにおいて、
前記管理手段は、前記管理者に提供する第１の前記電子レシートが含む情報の少なくとも一部を、前記管理者以外の前記購入者に提供する第２の前記電子レシートが含む情報と異ならせるプログラム。
１５．上記１４に記載のプログラムにおいて、
前記第１の電子レシートは、前記物品の保証書に関する情報、前記物品のシリアル番号、及び修理履歴の少なくとも一つを含み、
前記第２の電子レシートは、前記少なくとも一つを含まないプログラム。
１６．上記１４又は１５に記載のプログラムにおいて、
前記第１の電子レシートは、前記管理者を特定する情報として、自分が管理者であることを示す情報を含み、
前記第２の電子レシートは、前記管理者を特定する情報として、前記管理者の名前の少なくとも一部を含むプログラム。
１７．上記１４〜１６のいずれか一つに記載のプログラムにおいて、
前記管理者は前記複数の購入者に含まれており、
前記管理手段は、前記電子レシートを前記記憶手段に記憶させた後、前記管理者以外の前記購入者の前記人物特定情報を受信すると、当該人物特定情報に対応する購入者を新たな前記管理者となるように前記電子レシートを更新する、プログラム。
１８．上記１７に記載のプログラムにおいて、
前記管理手段は、
前記管理者の変更履歴を前記記憶手段に記憶させ、
前記購入者が操作する端末から前記変更履歴の要求を受信した場合、当該変更履歴を前記記憶手段から読み出して前記端末に送信するプログラム。
【符号の説明】
【００６６】
１０  会計装置
２０  電子レシート管理装置
３０  顧客端末
１１０  商品登録部
１２０  精算部
１３０  取得部
１４０  送信部
２１０  取得部
２２０  管理部
２３０  記憶部
【図１】
2020149107.tif 000003
【図２】
2020149107.tif 000004
【図３】
2020149107.tif 000005
【図４】
2020149107.tif 000006
【図５】
2020149107.tif 000007
【図６】
2020149107.tif 000008
【図７】
2020149107.tif 000009
【図８】
2020149107.tif 000010
【図９】
2020149107.tif 000011